(57)【要約】【課題】  パケット着信時におけるネットワークのトラフィックを削減可能な移動体通信システムを提供する。【解決手段】  移動体通信システムは、着信パケットの受信時に当該着信パケットを受信した旨を報知するためのページング信号に、当該着信パケットのＱｏＳ情報をＲＡＢパラメータとして設定して送信する手段（ページング信号設定部１２）を含む上位のノード装置（ＳＧＳＮ１）と、ページング信号に設定されたＱｏＳ情報と無線チャネルの混雑度とから着信パケットを送信するための通信回線を確立できるかどうかを判断する手段（ベアラ確立判断部２２）を含む下位のノード装置（ＲＮＣ２）とを有する。【選択図】      図１
2009260584.tif 000002
【特許請求の範囲】
【請求項１】
着信パケットの受信時に当該着信パケットを受信した旨を報知するためのページング信号に、当該着信パケットのＱｏＳ（Ｑｕａｌｉｔｙ  ｏｆ  Ｓｅｒｖｉｃｅ）情報をＲＡＢ（Ｒａｄｉｏ  Ａｃｃｅｓｓ  Ｂｅａｒｅｒ）パラメータとして設定して送信する手段を含む上位のノード装置と、
前記ページング信号に設定されたＱｏＳ情報と無線チャネルの混雑度とから前記着信パケットを送信するための通信回線を確立できるかどうかを判断する手段を含む下位のノード装置とを有することを特徴とする移動体通信システム。
【請求項２】
前記上位のノード装置は、ＳＧＳＮ［Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ］であり、
前記下位のノード装置は、ＲＮＣ（Ｒａｄｉｏ  Ｎｅｔｗｏｒｋ  Ｃｏｎｔｒｏｌｌｅｒ）であることを特徴とする請求項１記載の移動体通信システム。
【請求項３】
前記ＲＮＣは、前記通信回線を十分に収容できる混雑度であると判断した場合に配下のＮｏｄｅＢに前記ページング信号を送信することを特徴とする請求項２記載の移動体通信システム。
【請求項４】
前記ＲＮＣは、前記通信回線を十分に収容できる混雑度でないと判断した場合に前記ＳＧＳＮからのページング信号を破棄することを特徴とする請求項２または請求項３記載の移動体通信システム。
【請求項５】
着信パケットの受信時に当該着信パケットを受信した旨を報知するためのページング信号に、当該着信パケットのＱｏＳ（Ｑｕａｌｉｔｙ  ｏｆ  Ｓｅｒｖｉｃｅ）情報をＲＡＢ（Ｒａｄｉｏ  Ａｃｃｅｓｓ  Ｂｅａｒｅｒ）パラメータとして設定して下位のノード装置に送信する手段を有することを特徴とするノード装置。
【請求項６】
上位のノード装置において着信パケットの受信時に当該着信パケットを受信した旨を報知するためのページング信号に設定された当該着信パケットのＱｏＳ（Ｑｕａｌｉｔｙ  ｏｆ  Ｓｅｒｖｉｃｅ）情報と無線チャネルの混雑度とから前記着信パケットを送信するための通信回線を確立できるかどうかを判断する手段を有することを特徴とするノード装置。
【請求項７】
上位のノード装置が、着信パケットの受信時に当該着信パケットを受信した旨を報知するためのページング信号に、当該着信パケットのＱｏＳ（Ｑｕａｌｉｔｙ  ｏｆ  Ｓｅｒｖｉｃｅ）情報をＲＡＢ（Ｒａｄｉｏ  Ａｃｃｅｓｓ  Ｂｅａｒｅｒ）パラメータとして設定して下位のノード装置に送信し、
前記下位のノード装置が、前記ページング信号に設定されたＱｏＳ情報と無線チャネルの混雑度とから前記着信パケットを送信するための通信回線を確立できるかどうかを判断することを特徴とするパケット着信時のトラフィック削減方法。
【請求項８】
前記上位のノード装置が、ＳＧＳＮ［Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ］であり、
前記下位のノード装置が、ＲＮＣ（Ｒａｄｉｏ  Ｎｅｔｗｏｒｋ  Ｃｏｎｔｒｏｌｌｅｒ）であることを特徴とする請求項７記載のパケット着信時のトラフィック削減方法。
【請求項９】
前記ＲＮＣが、前記通信回線を十分に収容できる混雑度であると判断した場合に配下のＮｏｄｅＢに前記ページング信号を送信することを特徴とする請求項８記載のパケット着信時のトラフィック削減方法。
【請求項１０】
前記ＲＮＣが、前記通信回線を十分に収容できる混雑度でないと判断した場合に前記ＳＧＳＮからのページング信号を破棄することを特徴とする請求項８または請求項９記載のパケット着信時のトラフィック削減方法。
【発明の詳細な説明】
【技術分野】
【０００１】
本発明は移動体通信システム、ノード装置及びそれらに用いるパケット着信時のトラフィック削減方法に関し、特にパケット着信時のトラフィックの削減方法に関する。
【背景技術】
【０００２】
移動体ネットワークを設計する際には、できるだけトラフィックを削減することが求められる。このトラフィックを削減することで、ノードの輻輳回避、ネットワークの負荷軽減が可能になる。
【０００３】
本発明に関連する移動体通信システムでは、３ＧＰＰ（３ｒｄ  Ｇｅｎｅｒａｔｉｏｎ  Ｐａｒｔｎｅｒｓｈｉｐ  Ｐｒｏｊｅｃｔ）標準シーケンスの場合、ＳＧＳＮ［Ｓｅｒｖｉｎｇ  ＧＰＲＳ（Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ］からＲＮＣ（Ｒａｄｉｏ  Ｎｅｔｗｏｒｋ  Ｃｏｎｔｒｏｌｌｅｒ：無線ネットワーク制御装置）へのページング（Ｐａｇｉｎｇ）信号（着信があった旨を報知するための信号）に、ベアラ（情報を伝達する通信回線）を確立するための十分なＱｏＳ（Ｑｕａｌｉｔｙ  ｏｆ  Ｓｅｒｖｉｃｅ）情報が設定されていない。
【０００４】
このため、ＲＮＣは、ページング信号を受信すると、無線の混雑度に関わらず、ページング信号を配下のＮｏｄｅＢに送信する。したがって、移動機がページング応答であるＳｅｒｖｉｃｅ  ＲｅｑｕｅｓｔをＳＧＳＮに送信し、ＳＧＳＮがＲＮＣにベアラ確立に必要な情報を含んだＲＡＢ（Ｒａｄｉｏ  Ａｃｃｅｓｓ  Ｂｅａｒｅｒ）  Ａｓｓｉｇｎｍｅｎｔを送信して初めて、ＲＮＣはＲＡＢ  Ａｓｓｉｇｎｍｅｎｔに設定されたＱｏＳ情報からベアラを確立できるかどうか判断することができる。
【０００５】
上記の移動体通信システムにおいては、受信したパケットからＱｏＳを判断し、ページングに対する移動機からの応答待ち時間、応答がなかった場合の再送回数を制御する方法（例えば、特許文献１参照）、あるいは受信したパケットからＱｏＳを判断し、より高いＱｏＳが割り当てられたページにはリソースの割り当て優先権またはスケジューリング優先権を与える方法（例えば、特許文献２参照）等が提案されている。
【０００６】
【特許文献１】特開２００４−３２０３８８号公報
【特許文献２】特表２００６−５１９５５７号公報
【発明の開示】
【発明が解決しようとする課題】
【０００７】
しかしながら、本発明に関連する移動体通信システムにおけるパケット着信時のトラフィック処理には、ＳＧＳＮからＲＮＣへのページング信号にベアラを確立するための十分なＱｏＳ情報が設定されていないため、ＲＮＣがページング信号を受信すると、無線の混雑度に関わらず、ページング信号を配下のＮｏｄｅＢに送信している。
【０００８】
したがって、移動機がページング応答であるＳｅｒｖｉｃｅ  ＲｅｑｕｅｓｔをＳＧＳＮに送信し、ＳＧＳＮがＲＮＣにベアラ確立に必要な情報を含んだＲＡＢ  Ａｓｓｉｇｎｍｅｎｔを送信して初めて、ＲＮＣはＲＡＢ  Ａｓｓｉｇｎｍｅｎｔに設定されたＱｏＳ情報からベアラを確立できるかどうか判断することができる。
【０００９】
よって、本発明に関連する移動体通信システムでは、無線チャネルの混雑度によってベアラを確立できなかった場合、ＲＮＣからＮｏｄｅＢへのページング信号、移動機からＳＧＳＮへのＳｅｒｖｉｃｅ  Ｒｅｑｕｅｓｔ、ＳＧＳＮからＲＮＣへのＲＡＢ  Ａｓｓｉｇｎｍｅｎｔが余分なトラフィックとなり、ネットワークに負荷が生じるという課題がある。この課題は、上記の特許文献１，２に記載の技術では、解決することができない。
【００１０】
そこで、本発明の目的は上記の問題点を解消し、パケット着信時におけるネットワークのトラフィックを削減することができる移動体通信システム、ノード装置及びそれらに用いるパケット着信時のトラフィック削減方法を提供することにある。
【課題を解決するための手段】
【００１１】
本発明による移動体通信システムは、着信パケットの受信時に当該着信パケットを受信した旨を報知するためのページング信号に、当該着信パケットのＱｏＳ（Ｑｕａｌｉｔｙ  ｏｆ  Ｓｅｒｖｉｃｅ）情報をＲＡＢ（Ｒａｄｉｏ  Ａｃｃｅｓｓ  Ｂｅａｒｅｒ）パラメータとして設定して送信する手段を含む上位のノード装置と、
前記ページング信号に設定されたＱｏＳ情報と無線チャネルの混雑度とから前記着信パケットを送信するための通信回線を確立できるかどうかを判断する手段を含む下位のノード装置とを備えている。
【００１２】
本発明によるノード装置は、着信パケットの受信時に当該着信パケットを受信した旨を報知するためのページング信号に、当該着信パケットのＱｏＳ（Ｑｕａｌｉｔｙ  ｏｆ  Ｓｅｒｖｉｃｅ）情報をＲＡＢ（Ｒａｄｉｏ  Ａｃｃｅｓｓ  Ｂｅａｒｅｒ）パラメータとして設定して下位のノード装置に送信する手段を備えている。
【００１３】
本発明による他のノード装置は、上位のノード装置において着信パケットの受信時に当該着信パケットを受信した旨を報知するためのページング信号に設定された当該着信パケットのＱｏＳ（Ｑｕａｌｉｔｙ  ｏｆ  Ｓｅｒｖｉｃｅ）情報と無線チャネルの混雑度とから前記着信パケットを送信するための通信回線を確立できるかどうかを判断する手段を備えている。
【００１４】
本発明によるパケット着信時のトラフィック削減方法は、上位のノード装置が、着信パケットの受信時に当該着信パケットを受信した旨を報知するためのページング信号に、当該着信パケットのＱｏＳ（Ｑｕａｌｉｔｙ  ｏｆ  Ｓｅｒｖｉｃｅ）情報をＲＡＢ（Ｒａｄｉｏ  Ａｃｃｅｓｓ  Ｂｅａｒｅｒ）パラメータとして設定して下位のノード装置に送信し、
前記下位のノード装置が、前記ページング信号に設定されたＱｏＳ情報と無線チャネルの混雑度とから前記着信パケットを送信するための通信回線を確立できるかどうかを判断している。
【発明の効果】
【００１５】
本発明は、上記のような構成及び動作とすることで、パケット着信時におけるネットワークのトラフィックを削減することができるという効果が得られる。
【発明を実施するための最良の形態】
【００１６】
次に、本発明の実施の形態について図面を参照して説明する。まず、本発明の概要について説明する。本発明では、パケット着信時にＳＧＳＮ（Ｓｅｒｖｉｎｇ  ＧＰＲＳ  Ｓｕｐｐｏｒｔ  Ｎｏｄｅ）からＲＮＣ（Ｒａｄｉｏ  Ｎｅｔｗｏｒｋ  Ｃｏｎｔｒｏｌｌｅｒ：無線ネットワーク制御装置）へのページング（Ｐａｇｉｎｇ）信号に、着信パケットのＱｏＳ（Ｑｕａｌｉｔｙ  ｏｆ  Ｓｅｒｖｉｃｅ）情報をＲＡＢ（Ｒａｄｉｏ  Ａｃｃｅｓｓ  Ｂｅａｒｅｒ）パラメータ（Ｐａｒａｍｅｔｅｒｓ）として設定する。
【００１７】
これによって、本発明では、ＲＮＣが無線チャネルの混雑度と、ＱｏＳ情報であるＲＡＢパラメータとを基にベアラを確立できるかどうかを判断することができるため、パケット着信時におけるネットワークのトラフィックを削減することができる。
【００１８】
本発明では、ＳＧＳＮが着信パケットの情報を基に、ページング信号にＱｏＳ情報としてＲＡＢパラメータを設定する。このＲＡＢパラメータは、ＲＡＢ  Ａｓｓｉｇｎｍｅｎｔで設定されているＱｏＳ情報を含むパラメータである。
【００１９】
ＲＮＣは、ページング信号のＲＡＢパラメータから取得したＱｏＳ情報と、無線チャネルの混雑度とからベアラを確立できるかどうかを判断する。ＲＮＣは、確立したいベアラが十分収容できる混雑度である場合のみ、配下のＮｏｄｅＢに対してページング信号を送信し、ベアラが確立できない場合、ＮｏｄｅＢへのページング信号の送信を行わず、ＳＧＳＮからのページング信号を破棄する。これによって、本発明では、パケット着信時のネットワークのトラフィックを削減することができる。
【００２０】
図１は本発明の実施の形態によるＳＧＳＮ及びＲＮＣの構成例を示すブロック図である。図１において、ＳＧＳＮ１は、受信部１１と、ページング信号設定部１２と、送信部１３とから構成され、ＲＮＣ２は、受信部２１と、ベアラ確立判断部２２と、送信部２３とから構成されている。
【００２１】
ＳＧＳＮ１において、受信部１１は、着信パケットを受信すると、その着信パケットをページング信号設定部１２に渡す。ページング信号設定部１２は、着信パケットを受信した旨を報知するためのページング信号に、その着信パケットのＱｏＳ情報をＰＡＢパラメータとして設定して送信部１３に渡す。送信部１３は、そのページング信号をＲＮＣ２に送信する。
【００２２】
ＲＮＣ２において、受信部２１は、ページング信号を受信すると、そのページング信号をベアラ確立判断部２２に渡す。ベアラ確立判断部２２は、ページング信号に設定されたＲＡＢパラメータからＱｏＳ情報を取得し、その取得したＱｏＳ情報と無線チャネルの混雑度とからベアラ（情報を伝達する通信回線）を確立できるかどうかを判断する。
【００２３】
ベアラ確立判断部２２は、ベアラを十分に収容できる混雑度であると判断した場合、ページング信号を送信部２３に渡す。送信部２３は、そのページング信号を配下のＮｏｄｅＢ（図示せず）に送信し、移動機（図示せず）の呼び出しを行う。また、ベアラ確立判断部２２は、ベアラを十分に収容できる混雑度でないと判断した場合、ＳＧＳＮ１からのページング信号を破棄する。
【００２４】
図２は本発明の実施の形態による移動体通信システムの構成例を示すブロック図である。図２において、本発明の実施の形態による移動体通信システムは、ＳＧＳＮ１と、ＲＮＣ２−１，２−２と、ＮｏｄｅＢ３−１〜３−５と、移動機４とから構成されている。
【００２５】
ＳＧＳＮ１は、パケット通信における加入者交換機であり、図１に示す構成となっている。ＲＮＣ２−１，２−２は、無線ネットワーク制御装置であり、図１に示すＲＮＣ２と同様の構成となっている。ＮｏｄｅＢ３は、無線基地局であり、各サービスエリア１００内の移動機４を管理する。
【００２６】
図１及び図２において、ＳＧＳＮ１、ＲＮＣ２，２−１，２−２、ＮｏｄｅＢ３−１〜３−５、移動機４はそれぞれ移動体通信システムでは良く知られており、また本発明とは直接関係しないので、上記の構成以外の構成についての詳細な説明は省略する。
【００２７】
図３は本発明の実施の形態におけるベアラが十分に収容できる混雑度の場合の動作を示すシーケンスチャートであり、図４は本発明の実施の形態におけるベアラが確立できない場合の動作を示すシーケンスチャートである。
【００２８】
これら図１〜図４を参照して本発明の実施の形態による移動体通信システムの動作について説明する。以下の説明では、ＲＮＣ２−１，２−２をＲＮＣ２と表記し、ＮｏｄｅＢ３−１〜３−５をＮｏｄｅＢ３と表記する。
【００２９】
ＳＧＳＮは、着信パケットを受信部１１にて受信すると（図３のａ１）、ページング信号設定部１２においてページング信号に着信パケットのＱｏＳ情報をＰＡＢパラメータとして設定し（図３のａ２）、送信部１３からＲＮＣ２に対してページング信号を送信する（図３のａ３）。
【００３０】
ＲＮＣ２は、ページング信号を受信部２１にて受信すると、ベアラ確立判断部２２においてページング信号に設定されたＲＡＢパラメータからＱｏＳ情報を取得し、その取得したＱｏＳ情報と無線チャネルの混雑度とからベアラを確立できるかどうかを判断する（図３のａ４）。
【００３１】
ＲＮＣ２は、ベアラを十分に収容できる混雑度の場合（図３のａ５）、配下のＮｏｄｅＢ３にページング信号を送信し（図３のａ６，ａ７）、移動機４の呼び出しを行う。
【００３２】
移動機４は、ページング信号を受信すると、ページング応答としてＳｅｒｖｉｃｅ  ＲｅｑｕｅｓｔをＳＧＳＮ１に送信する（図３のａ８）。ＳＧＳＮ１は、Ｓｅｒｖｉｃｅ  Ｒｅｑｕｅｓｔを受信すると、ＲＮＣ２に移動機４との間のベアラの確立を要求するＲＡＢ  Ａｓｓｉｇｎｍｅｎｔ  Ｒｅｑｕｅｓｔを送信する（図３のａ９）。
【００３３】
ＲＮＣ２は、移動機４との間のベアラの確立を行い（図３のａ１０）、ＳＧＳＮ２にベアラが確立したことを通知するＲＡＢ  Ａｓｓｉｇｎｍｅｎｔ  Ｒｅｓｐｏｎｓｅを返信する（図３のａ１１）。
【００３４】
以上の手続きによって、ＳＧＳＮ１と移動機４との間でベアラが確立され、移動機４は、ＳＧＳＮ１で受信した着信パケットを受信することができる（図３のａ１２）。
【００３５】
一方、ＲＮＣ２は、ベアラを確立できない場合（図４のａ１３）、配下のＮｏｄｅＢ３へページング信号を送信せず、ＳＧＳＮ１からのページング信号を破棄する（図４のａ１４）。尚、図４のａ１〜ａ４の処理は、図３のａ１〜ａ４の処理と同じである。
【００３６】
このように、本実施の形態では、ＳＧＳＮ１からのページング信号に着信パケットのＱｏＳ情報をＲＡＢパラメータとして設定し、ＲＮＣ２がページング信号に設定されたＲＡＢパラメータからＱｏＳ情報を取得し、その取得したＱｏＳ情報と無線チャネルの混雑度とからベアラを確立できないと判断した場合、配下のＮｏｄｅＢ３へのページング信号の送信を行わず、ＳＧＳＮ１からのページング信号を破棄する。
【００３７】
これによって、本実施の形態では、上述した本発明に関連する手法におけるＲＮＣでのページング信号の受信後の信号送受信（ＲＮＣからＮｏｄｅＢへのページング信号、移動機からＳＧＳＮへのＳｅｒｖｉｃｅ  Ｒｅｑｕｅｓｔ、ＳＧＳＮからＲＮＣへのＲＡＢ  Ａｓｓｉｇｎｍｅｎｔ）を削減することができる。以上によって、本実施の形態では、パケット着信時におけるネットワークのトラフィックを削減することができるという効果を奏する。
【００３８】
尚、本発明では、図１のＳＧＳＮ１を、ＣＳ（Ｃｉｒｃｕｉｔ  Ｓｗｉｔｃｈｉｎｇ）ドメインにおけるＭＳＣ（Ｍｏｂｉｌｅ−ｓｅｒｖｉｃｅｓ  Ｓｗｉｔｃｈｉｎｇ  Ｃｅｎｔｅｒ）や他の移動体通信システムにおけるページング信号を利用するノードで構成することも可能である。
【００３９】
また、本発明では、図１のＲＮＣ２を、２Ｇ（２ｎｄ  Ｇｅｎｅｒａｔｉｏｎ）におけるＢＳＳ（Ｂａｓｅ  Ｓｔａｔｉｏｎ  Ｓｕｂ−Ｓｙｓｔｅｍ）や他の移動体通信システムにおけるページング信号を利用するノードで構成することも可能である。
【図面の簡単な説明】
【００４０】
【図１】本発明の実施の形態によるＳＧＳＮ及びＲＮＣの構成例を示すブロック図である。
【図２】本発明の実施の形態による移動体通信システムの構成例を示すブロック図である。
【図３】本発明の実施の形態におけるベアラが十分に収容できる混雑度の場合の動作を示すシーケンスチャートである。
【図４】本発明の実施の形態におけるベアラが確立できない場合の動作を示すシーケンスチャートである。
【符号の説明】
【００４１】
１  ＳＧＳＮ１
２，２−１，２−２  ＲＮＣ
３−１〜３−５  ＮｏｄｅＢ
４  移動機
１１，２１  受信部
１２  ページング信号設定部
１３，２３  送信部
２２  ベアラ確立判断部
１００  サービスエリア
【図１】
2009260584.tif 000003
【図２】
2009260584.tif 000004
【図３】
2009260584.tif 000005
【図４】
2009260584.tif 000006